(57)【要約】  【課題】写真フィルムに撮影された画像やデジタルカメラ等で撮影された画像に、処理時間を要する高度な画像処理を施した場合にも、ファーストプリント時間を短縮することができ、しかも、高度な画像処理を施して高品位な画像を出力したことを、個々のプリント毎に、顧客が容易に知見可能なプリントを出力できるプリンタを提供する。  【解決手段】通常の裏印字に加えて、出力画像に施した画像処理に関する情報も裏印字する構成を備えるとともに、プリント用紙をカットするための情報を取得した時点でプリント用紙の供給を開始する構成とすることにより、上記課題を解決する。【選択図】図２
2006171085.tif 000002
【特許請求の範囲】
【請求項１】
画像データの取得手段と、
少なくとも出力するプリントのサイズおよび枚数の情報を含むプリント情報を取得するプリント情報取得手段と、
仕上がり予測画像の表示手段と、
前記仕上がり予測画像を調整する調整手段と、
出力する画像を確定する確定手段と、
前記確定手段による画像の確定に応じて、前記画像データに、前記調整手段による調整を反映させた画像処理を施して、出力用画像データとする画像処理手段と、
前記調整手段による調整の情報を含む第１裏印字情報を生成するとともに、前記画像処理手段による画像処理の情報である第２裏印字情報を生成し、前記第１裏印字情報および前記第２裏印字情報を編集して、裏印字記録情報を出力する裏印字情報編集出力手段と、
前記確定手段による画像の確定に応じて、前記プリント情報取得手段が取得したプリントのサイズおよび枚数の情報を取得して、対応するプリント用紙を供給する供給手段と、
前記出力用画像データに応じて前記プリント用紙に可視像を再生する画像形成手段と、
前記裏印字記録情報に応じて前記プリント用紙の裏面に印字を行う裏印字手段と、を有することを特徴とするプリンタ。
【請求項２】
前記確定手段が所定の出力指示手段であって、前記検定画像の表示後に前記出力指示手段による出力指示が為された時点で画像が確定する請求項１に記載のプリンタ。
【請求項３】
前記裏印字情報編集出力手段は、前記画像処理手段が実施した画像処理の結果に応じて前記第２裏印字情報を生成する請求項１または２に記載のプリンタ。
【請求項４】
前記プリント情報取得手段が取得した前記プリント情報、および画像に関する情報の少なくとも一方から、前記画像データに施す画像処理を選定する選定手段を有し、
前記裏印字情報編集出力手段は、この選定手段による選定結果に応じて前記第２裏印字情報を生成する請求項１〜３のいずれかに記載のプリンタ。
【請求項５】
前記画像に関する情報は、撮影情報、カメラ情報、画像データの１以上を含む請求項４に記載のプリンタ。
【請求項６】
前記プリント情報は、前記画像処理手段による画像処理の指定の情報を含む請求項１〜５のいずれかに記載のプリンタ。
【請求項７】
前記画像処理手段は、階調補正、色／濃度補正、彩度補正、シャープネス処理、粒状抑制処理、および、覆い焼き処理を実施する機能に加え、赤目補正、画像欠損部の補正、撮影レンズに起因する収差補正、撮影レンズに起因する周辺減光補正、トリミング、ソフトフォーカス処理、および、クロスフィルタ処理の少なくと１つを実施する機能を有し、
また、前記第２裏印字情報は、シャープネス処理、粒状抑制処理、覆い焼き処理、赤目補正、画像欠損部の補正、収差補正、周辺減光補正、トリミング、ソフトフォーカス処理、および、クロスフィルタ処理の少なくとも１つに関する情報である請求項１〜６のいずれかに記載のプリンタ。
【請求項８】
赤目補正、画像欠損部の補正、収差補正、および、周辺減光補正のうち、前記プリンタが実施可能な補正の全ての実施または非実施を選択する選択手段を有する請求項７に記載のプリンタ。
【請求項９】
赤目補正、画像欠損部の補正、収差補正、および、周辺減光補正の実施または非実施を、個々に選択する選択手段を有する請求項７または８に記載のプリンタ。
【発明の詳細な説明】
【技術分野】
【０００１】
本発明は、写真プリントを作成するプリンタに関し、詳しくは、元画像データに赤目補正処理等の高品位な画像処理を施したことをプリントに明示するとともに、第１枚目のプリントを出力するまでの時間（ファーストプリント時間）を短縮することのできるプリンタに関する。
【背景技術】
【０００２】
近年、フィルムに記録された画像を光電的に読み取って、読み取った画像をデジタル信号とした後、種々の画像処理を施して記録用の画像データとし、この画像データに応じて変調した記録光によって感光材料を露光してプリントとして出力するデジタルフォトプリンタが実用化されている。
デジタルフォトプリンタでは、フィルムに撮影された画像を光電的に読み取って、画像をデジタルの画像データとして、画像の処理や感光材料の露光を行う。そのため、フィルムに撮影された画像のみならず、デジタルカメラ等で撮影された画像（画像データ）からも、プリントの作成を行うことができる。
【０００３】
また、前述のように、デジタルフォトプリンタでは、画像をデジタルの画像データとして扱うので、画像データを処理することによって画像処理（画像の補正や調整）を行うことができる。
そのため、従来のアナログ露光のプリンタ（フィルムの投影光で感光材料（印画紙）を露光するプリンタ）に比して、極めて高い自由度で色／濃度補正、階調補正、彩度補正等の画像処理を行うことができ、いわゆるオーバー露光やアンダー露光、逆行シーン等であっても、安定して高画質な画像を再生できる。
【０００４】
さらに、デジタルフォトプリンタであれば、シャープネス処理、覆い焼き処理（中間階調を維持した画像ダイナミックレンジの調整による覆い焼き効果の付与）、赤目補正、周辺減光補正（撮影レンズの周辺減光による濃度ムラの補正）、収差補正（撮影レンズの収差による歪みの補正）、ゴミ傷消し処理（フィルムや撮影レンズに付着したゴミ等による欠損画像の補正）など、アナログ露光のプリンタでは、非常に高度な技術を要求される画像処理、極めて困難あるいは実質的に不可能な画像処理も、画像データの処理によって行うことができる。
【０００５】
色／濃度補正、階調補正、彩度補正などは、適正な画像を完成させるために最低限必要な処理である。すなわち、これらを行うことで、製品としてのプリントを仕上げることはできる。
これに対し、シャープネス処理、覆い焼き処理、赤目補正、周辺減光補正、収差補正、ゴミ傷消し処理等は、より高度な演算や解析が必要な、いわば高品位な画像処理である。したがって、これらの画像処理を行うことにより、デジタル露光の利点を十分に発揮した、高画質な画像を再生したプリントを出力することができるが、その反面、処理に時間が掛かり、かつ、高度なシステムが必要となる。
【０００６】
ところで、普通紙を用いるプリンタや、複写機等、各種の画像記録装置において、操作を開始してから第１枚目のプリント（記録紙）が出力されるまでの時間（ファーストプリント時間と呼ぶ）は、短い方が好ましい。
フォトプリンタにおいても、生産性の観点から、ファーストプリント時間は極力短い方が好ましい。
【０００７】
ここで、従来のデジタルフォトプリンタにおけるプリント作成処理およびファーストプリント時間について、簡単に説明する。
図９は、従来のデジタルフォトプリンタ１００におけるプリント作成処理の流れを説明する図である。一般に、ミニラボシステム等のフォトプリンタは、画像データを取得してプリント画像データを作成する入力機１０２と、入力機１０２から供給された画像データからプリントを作成して出力する出力機１０４とから構成されており、入力機１０２と出力機１０４とが連動してプリント処理を行う。
【０００８】
フィルムに撮影された画像からプリントを作成する場合には、入力機１０２は、スキャナにセットされたフィルムに対し、まず、プレスキャンを行う。次に、このプレスキャン画像データから生成した検定画像（仕上がり予測画像）を検定画面に表示する。検定画像について検定が行われ、必要に応じて色や濃度などの修正が行われ、検定ＯＫ（出力指示）が入力されることによって、画像（プリント画像を得るための画像）が確定すると、続いて、ファインスキャンを行い、得られたファインスキャン画像データに、検定によって決定された補正条件で画像処理を施して「プリント画像データ」とし、出力機１０４へ出力する。
【０００９】
一方、デジタルカメラ等で撮影された画像（画像データ）からプリントを作成する場合には、入力機１０２は、その画像データを取り込み、取り込んだ画像データから低解像度の検定画像を生成して検定画面に表示する。この検定画像に対して検定が行われ、必要に応じて色や濃度などの修正が行われる。検定ＯＫ（出力指示）が入力されることによって、画像が確定すると、続いて、取り込んだ画像データに、検定によって決定された補正条件で画像処理を施して「プリント画像データ」とし、出力機１０４へ出力する。
【００１０】
また、フィルムから画像データを得る場合および画像データを取り込む場合のどちらにおいても、入力機１０２は、検定によって画像が確定すると、その修正情報を基に、プリントの裏印字（バックプリント）のための「裏印字情報」を生成して、出力機１０４へ出力する。この裏印字情報は、コマ番号（画像ファイル名）、色／濃度修正情報（ＣＭＹＤキーによる色／濃度の修正情報）等である。
【００１１】
出力機１０４は、「裏印字情報」と「プリント画像データ」の２つが揃った段階で、プリント出力の一連の動作を開始する。すなわち、ペーパーマガジンからペーパー（プリント用紙、印画紙）を引き出し、プリントサイズにカットする。続いて、ペーパーの裏面（非感光面）に、「裏印字情報」に基づいて裏印字を行い、表面に、「プリント画像データ」に基づいて走査露光を行う。その後、現像処理および乾燥処理を行って（図示省略）、仕上がりプリントとして出力する。
【００１２】
上述のように、従来のフォトプリンタは、出力機１０４が「裏印字情報」と「プリント画像データ」の２つを受け取ってから、プリント出力動作を開始するので、「裏印字情報」や「プリント画像データ」の作成に時間が掛かるほど、プリント用紙の供給開始が遅くなり、ファーストプリント時間が長くなる。そのため、処理に時間の掛かる高品位な処理を行う場合は、「プリント画像データ」の作成に時間が掛かることとなり、ファーストプリント時間が長くなってしまう。
【００１３】
さらに、顧客（写真プリントの作成依頼者）が鑑賞するのは、仕上がったプリントであり、通常は、撮影した画像にどのような画像処理が施されているのかを知ることはない。そのため、ファーストプリント時間を犠牲にして、処理時間を掛け、また、高度な画像処理システムを用いて高品位な処理を行い、一般的なラボシステムや処理システムよりも高画質な画像を仕上げても、そのことを顧客に評価してもらうことは、非常に困難である。
【００１４】
画像処理によって高画質な画像を再生したプリントを出力したことを顧客に認識してもらい、評価してもらうことができる方法として、例えば、特許文献１には、顧客が注文した１件の中から画像を選択して、その画像については、デジタル的にエンハンスメント（質的な向上・強化）を施した画像を再生したプリントと、エンハンスメントを施さない画像を再生したプリントとを出力するプリント方法が記載されている。
しかしながら、このプリント方法では、１件の中から選択された画像に関しては、それなりに実施した画像処理を訴求できるが、それ以外の画像は、画像処理の効果を訴求することはできない。そのため、各画像毎に異なる画像処理を施し、個々のプリント毎に画像処理の効果を訴求し、かつ、評価してもらうためには、全ての画像で２枚のプリントが必要になり、すなわち、２倍の枚数のプリントを出力する必要がある。また、このプリント方法では、個々の画像に、具体的に、どのような画像処理が施されているかも、知ることができない。また、そのようなプリントを出力する場合も、上記と同様に、エンハンスメントを施した画像のファーストプリント時間は長くなってしまう。
【特許文献１】特開２００３−２０５６６０号公報
【発明の開示】
【発明が解決しようとする課題】
【００１５】
本発明の目的は、上記課題を解決し、写真フィルムに撮影された画像やデジタルカメラ等で撮影された画像に、各種の画像処理を施してプリントを出力した際に、処理時間を要する高度な画像処理を施した場合にも、ファーストプリント時間を短縮することができ、しかも、高度な画像処理を実施して、高品位な画像を出力したこと、あるいはさらにその処理結果を、個々のプリント毎に、顧客が容易に知見可能なプリントを出力できるプリンタを提供することにある。
【課題を解決するための手段】
【００１６】
上記課題を解決するために、本発明は、画像データの取得手段と、
少なくとも出力するプリントのサイズおよび枚数の情報を含むプリント情報を取得するプリント情報取得手段と、
仕上がり予測画像の表示手段と、
前記仕上がり予測画像を調整する調整手段と、
出力する画像を確定する確定手段と、
前記確定手段による画像の確定に応じて、前記画像データに、前記調整手段による調整を反映させた画像処理を施して、出力用画像データとする画像処理手段と、
前記調整手段による調整の情報を含む第１裏印字情報を生成するとともに、前記画像処理手段による画像処理の情報である第２裏印字情報を生成し、前記第１裏印字情報および前記第２裏印字情報を編集して、裏印字記録情報を出力する裏印字情報編集出力手段と、
前記確定手段による画像の確定に応じて、前記プリント情報取得手段が取得したプリントのサイズおよび枚数の情報を取得して、対応するプリント用紙を供給する供給手段と、
前記出力用画像データに応じて前記プリント用紙に可視像を再生する画像形成手段と、
前記裏印字記録情報に応じて前記プリント用紙の裏面に印字を行う裏印字手段と、を有することを特徴とするプリンタを提供するものである。
【００１７】
ここで、前記確定手段が所定の出力指示手段であって、前記検定画像の表示後に前記出力指示手段による出力指示が為された時点で画像が確定するのが好ましい。
また、前記裏印字情報編集出力手段は、前記画像処理手段が実施した画像処理の結果に応じて前記第２裏印字情報を生成するのが好ましい。
また、前記プリント情報取得手段が取得した前記プリント情報、および画像に関する情報の少なくとも一方から、前記画像データに施す画像処理を選定する選定手段を有し、
前記裏印字情報編集出力手段は、この選定手段による選定結果に応じて前記第２裏印字情報を生成するのが好ましい。
【００１８】
また、前記画像に関する情報は、撮影情報、カメラ情報、画像データの１以上を含むのが好ましく、
前記プリント情報は、前記画像処理手段による画像処理の指定の情報を含むのが好ましい。
【００１９】
また、前記画像処理手段は、階調補正、色／濃度補正、彩度補正、シャープネス処理、粒状抑制処理、および、覆い焼き処理を実施する機能に加え、赤目補正、画像欠損部の補正、撮影レンズに起因する収差補正、撮影レンズに起因する周辺減光補正、トリミング、ソフトフォーカス処理、および、クロスフィルタ処理の少なくと１つを実施する機能を有し、
また、前記第２裏印字情報は、シャープネス処理、粒状抑制処理、覆い焼き処理、赤目補正、画像欠損部の補正、収差補正、周辺減光補正、トリミング、ソフトフォーカス処理、および、クロスフィルタ処理の少なくとも１つに関する情報であるのが好ましい。
【００２０】
また、赤目補正、画像欠損部の補正、収差補正、および、周辺減光補正のうち、前記プリンタが実施可能な補正の全ての実施または非実施を選択する選択手段を有するのが好ましい。
また、赤目補正、画像欠損部の補正、収差補正、および、周辺減光補正の実施または非実施を、個々に選択する選択手段を有するのが好ましい。
【発明の効果】
【００２１】
本発明によれば、上記構成を有することにより、写真フィルムに撮影された画像やデジタルカメラ等で撮影された画像に、各種の画像処理を施してプリントを出力した際に、処理時間を要する高度な画像処理を施した場合にも、ファーストプリント時間を短縮することができ、しかも、高度な画像処理を実施して、高品位な画像を出力したこと、あるいはさらにその処理結果を、個々のプリント毎に、顧客が容易に知見可能なプリントを出力することができる。
より具体的には、本発明によれば、プリント用紙の供給を、「裏印字情報」および「プリント画像データ」の２つが揃うまで待たずに、プリント画像を得るための画像が確定した時点で、プリント用紙の供給を開始する構成としたことにより、処理時間を要する高度な画像処理、例えば、赤目補正やゴミ傷消し処理、収差補正、周辺減光補正などの処理を施した場合にも、ファーストプリント時間を短縮することができる。さらに、高品位画像処理の情報を裏印字情報に反映させられる構成としたことにより、上記のような高度な画像処理を施してプリントを出力した際に、プリントを注文した顧客に、高品位な画像処理を施して画像を出力したことを認識してもらうことができ、画像（製品）の高付加価値化、高品位処理を行わない画像との差別化、ラボ店等における他店舗との差別化や他店舗に対する価格維持、顧客の獲得および確保などを図ることができる。また、クレームに応じた再プリントの作成等の際に、ラボ店が、先のプリントでどのような画像処理を施したかを容易に知見することができるので、不具合を的確に修正して、要求される再プリントを確実に出力することができる。
すなわち、本発明によれば、高品位処理による高画質画像の出力と、ファーストプリント時間の短縮、という相反する効果を実現した上で、高品位処理の効果も顧客に訴求できる。
【発明を実施するための最良の形態】
【００２２】
以下、本発明のプリンタについて、添付の図面に示される好適実施例を基に、詳細に説明する。
【００２３】
図１に、本発明のプリンタの第１実施形態の構成概念図を示す。
図示例のプリンタ１０は、フィルムに撮影された画像（画像データ）やデジタルカメラで撮影された画像（画像データ）を得て、この画像に画像処理を施してプリント画像（出力用の画像データ）とし、このプリント画像に応じてプリント用紙である感光材料（印画紙）を露光して、（写真）プリントとして出力する、前述のデジタルフォトプリンタであって、入力機１２と出力機１４とを有して構成される。
【００２４】
一例として、入力機１２は、スキャナ１６、画像処理装置１８、ＤＩＣ（Digital Image Controller）２０、および指示入力器２２を有して構成される。なお、入力機１２は、スキャナ１６およびＤＩＣ２０のうち一方のみを有する構成であってもよく、あるいは、ＤＩＣ２０および指示入力器２２を有し、スキャナ１６および画像処理装置１８を有さない構成であってもよい。また、図１の例では、指示入力器２２は、画像処理装置１８とＤＩＣ２０とに共通の１台のみを示してあるが、指示入力器２２は、画像処理装置１８とＤＩＣ２０との両方に個々に備えられていてもよい。
【００２５】
さらに、入力機１２には、裏印字情報編集出力手段５０（図２参照  図１では省略）が配置される。裏印字情報編集出力手段５０は、画像処理装置１８およびＤＩＣ２０の両方が有してもよく、あるいは、画像処理装置１８およびＤＩＣ２０の一方のみが有して他方から必要な情報が送られるようにしてもよく、画像処理装置１８およびＤＩＣ２０とは全く独立した部位として入力機１２が有してもよい。以下では、画像処理装置１８およびＤＩＣ２０の両方が、それぞれ裏印字情報編集出力手段５０を有している形態を例に説明する。
【００２６】
スキャナ１６は、（写真）フィルムに読取光を入射して投影光を光電的に読み取ることによって、フィルムに撮影された画像を読み取る、公知のフィルムスキャナである。
画像処理装置１８は、画像処理機能（画像処理手段）を有しており、スキャナが読み取った画像データや外部から供給された画像データに、画像処理を施してプリント画像として出力機１２に出力する。また、画像処理装置１８は、検定画像（仕上がり予測画像（シミューレーション画像））を表示する表示機能（表示手段）、ならびに、画像の色や濃度などの調整を行う調整手段および画像の確定手段を備える検定機能（検定手段）も有している。
【００２７】
ＤＩＣ２０は、デジタルカメラや撮影機能付の携帯電話などの撮像装置や、同撮像装置によって撮影された画像を記憶するスマートメディアTMやＰＣカードTM等の記憶媒体や、パーソナルコンピュータやプリント注文受付端末等が接続される各種の通信ネットワーク等から、撮像装置によって撮像された画像（画像データ）を取得して、画像処理を施して、プリント画像として出力機１２に出力する。
図示例においては、ＤＩＣ２０は、画像処理装置１８と同様に、画像処理機能（画像処理手段）および表示・検定機能を有している。しかしながら、ＤＩＣ２０の性能やプリンタ１０（システム）の構成によっては、ＤＩＣ２０は、取得した画像を未処理で画像処理装置１８に供給して、画像処理装置１８で画像処理および検定を行って出力機１４にプリント画像を供給してもよく、あるいは、取得した画像に画像処理を施して画像処理装置１８に供給して、画像処理装置１８で検定を行って出力機１４にプリント画像を供給してもよく、あるいは、ＤＩＣ２０で検定を行ってプリント画像とし、これを画像処理装置１８を介して出力機１４に供給してもよい。
また、ＤＩＣ２０には、ラボ店の店頭や街頭等に設置され、撮像装置や記録媒体から画像を読み取り、かつ、プリント注文指示を受け付けて、画像と注文の情報とを対応付けして出力する受付装置が、通信ネットワーク等で接続されてもよい。
【００２８】
裏印字情報編集出力手段５０は、画像のコマ番号等の情報、検定時における画像修正の情報、画像に施した画像処理の情報を取得して、それらの情報から、通常の写真プリントにおける裏印字に対応する第１裏印字情報、および、画像に施した特定の画像処理に対応する第２裏印字情報を生成し、第１および第２裏印字情報を編集して、裏印字を記録するための裏印字記録情報を生成して、対応するプリント画像に対応付けして出力機１４に出力するものである。
裏印字情報編集出力手段５０に関しては、後に詳述する。
【００２９】
指示入力器２２は、出力するプリントのサイズおよび枚数の指示や、画像処理の指定、検定における指示入力等に用いられる、キーボードやマウス等の指示入力器である。指示入力器２２に入力された情報は、スキャナ１６によって取得された画像データについての指示情報であれば画像処理装置１８へ、ＤＩＣ２０によって取得された画像データについての指示情報であればＤＩＣ２０へ供給される。
【００３０】
出力機１４は、ロール状に巻回された長尺な感光材料（印画紙）Ａを、マガジン３０から引き出して、カッタ３２によってプリントサイズに切断した後、裏印字手段３４によって感光材料Ａの裏面（非感光面）に裏印字を行う（バックプリントを記録する）。なお、裏印字手段３４は、現像処理による劣化が無いものであれば、ドットインパクトプリンタ、インクジェットプリンタ、熱転写プリンタ等の各種のプリント手段が利用可能である。
出力機１４は、感光材料Ａに裏印字を行った後、露光ユニット３６から、入力機１２から供給されたプリント画像に応じて変調した光ビームＬ（記録光）を主走査方向に偏向して所定の露光位置に入射するとともに、感光材料Ａを露光位置に位置しつつ主走査方向と直交する副走査方向に搬送することにより、光ビームＬによって感光材料Ａを二次元的に走査露光して、潜像を記録する。
続いて、出力機１４は、潜像を記録した感光材料Ａを現像部４０に送り、現像部４０において、現像、漂白／定着、水洗の各処理を順次行って現像処理を行い、現像済の感光材料Ａを乾燥して、仕上がり（写真）プリントとして出力し、ソータ（図示省略）によって１件毎に仕分けする。
【００３１】
次に、図２を参照して、プリンタ１０の作用を説明することにより、前記裏印字情報編集出力手段５０および本発明について、より詳細に説明する。
【００３２】
フィルムからのプリント作成を行う場合には、フィルムがスキャナ１６の所定位置（フィルムキャリア）にセットされ、スキャン開始が指示される。プリンタ１０（入力機１２）は、この指示に応じて、出力画像を得るためのファインスキャンの読取条件の決定や、各種の画像処理の画像処理条件を決定するために、スキャナ１６によって、画像を粗に読み取るプレスキャンを行う。また、プリンタ１０は、プレスキャンの際に、コマ番号と画像とを対応付けた情報を生成し、裏印字情報編集出力手段５０や画像処理手段等の、その情報を使用する部位に送る。ＡＰＳのフィルムの場合には、プレスキャンの際に、さらに、磁気記録媒体を読み取り、フィルムＩＤ、撮影時のストロボ使用の有無やズーム倍率などの撮影情報、カメラ機種（レンズ付きフィルム種）やレンズ種などのカメラ情報等のプリント作成処理に必要な情報を、裏印字情報編集出力手段５０や画像処理手段等の、その情報を使用する部位に送る。撮影情報やカメラ情報等は、オペレータの操作により、指示入力器２２に入力されてもよい。
【００３３】
他方、デジタルカメラ等で撮影された画像（画像データ）からのプリント作成（以下、画像データからのプリント作成とする）を行う場合には、ＤＩＣ２０によって、画像データを取り込み、間引き等を行って、検定画像を生成する。また、画像データ（画像ファイル）から得られた、コマ番号（ファイルＮｏあるいはさらにフォルダＮｏ）、カメラ機種などのカメラ情報、撮影時のストロボ使用の有無やズーム倍率などの撮影情報等の各種の情報を、裏印字情報編集出力手段５０や画像処理手段等の、その情報を使用する部位に送る。
【００３４】
さらに、プリント注文の受付時、スキャナ１６へのフィルムセット時、ＤＩＣ２０による画像データ取り込み時、または後述する検定時などに、プリントコマ番号、プリントサイズ、プリント枚数、画像処理の指定等のプリント注文に関する情報（プリント情報）が、指示入力器２２に入力される。入力された情報は、裏印字情報編集出力手段５０や画像処理手段等の、その情報を使用する部位に送られる。
【００３５】
次いで、画像処理装置１８またはＤＩＣ２０が、検定画像を表示手段（ディスプレイ）の検定画面に表示し、その検定画像に対して検定が行われる。なお、検定は、基本的に、公知のデジタルフォトプリンタと同様に行われる。したがって、フィルムからのプリント作成では、プレスキャンで得られた画像（プレスキャンデータ）で検定画像が作成される。また、プレスキャンデータや検定画像生成のための間引き画像から、後述する画像処理の画像処理条件が設定され、検定画像には、この画像処理条件に応じた画像処理が施されているのも、公知のデジタルフォトプリンタと同様である。
なお、本発明のプリンタ１０において、検定は、必須の工程ではなく、また、操作モードとして、検定を行う通常モードと、検定を行わない自動モードとを設定して、何れかを選択できるようにしてもよい。
【００３６】
検定によって指示入力がされ、画像の色や濃度などが調整された場合には、それに応じて後述する画像処理の色／濃度補正条件なども調整される。
また、キーボードの「ＯＫ」キーなどの所定の指示手段で検定ＯＫ（出力指示）が入力されると、画像が確定する。これに応じて、指示入力器２２によって入力された各コマの画像のプリントサイズおよびプリント枚数の情報も確定して、プリントサイズおよびプリント枚数の情報が、出力機１４へ送られる。
さらに、検定で画像の色や濃度が調整された場合には、各色（通常、Ｃ（シアン）、Ｍ（マゼンタ）、およびＹ（イエロー））毎の調整量、ならびに、濃度の調整量の情報が、裏印字情報編集出力手段５０に送られる。
なお、検定を行わない場合には、画像処理条件を設定した時点で画像が確定し（画像処理条件の設定による画像の自動確定）、それにより、指示入力器２２によって入力された各コマの画像のプリントサイズおよびプリント枚数の情報も確定して、プリントサイズおよびプリント枚数の情報が、出力機１４へ送られる。
【００３７】
本発明においては、検定ＯＫの入力によりプリントを得るための画像が確定した時点で、各コマの画像のプリントサイズおよびプリント枚数の情報も確定して、プリントサイズおよびプリント枚数の情報が、出力機１４（制御系２４）へ送られる。出力機１４では、この情報を受けた時点で、プリント用紙（ペーパー）の切出しを開始することにより、画像処理とファーストプリントの高速化を両立させている。この点に関しては、後に詳述する。
【００３８】
プリンタ１０において、検定画面には一度に６コマの画像が表示され、６コマ単位で検定が行われる。
フィルムからのプリント作成を行う際には、単位となる６コマ全ての検定ＯＫが入力された時点で、その６コマに対して、順次、プリント画像（出力画像データ）を得るためのファインスキャンが行われ、各コマの画像（ファインスキャンデータ）毎に、順次、画像処理が行われる。
画像データからのプリント作成を行う際には、検定ＯＫが入力された時点で、各コマの画像に、順次、画像処理が行われ、プリント画像とされる。
【００３９】
前述のように、画像処理装置１８およびＤＩＣ２０による画像処理は、基本的に、同じものである。
図示例においては、一例として、電子変倍処理（画像の拡大／縮小）、階調補正、色／濃度補正、彩度補正、シャープネス処理（鮮鋭度処理）、粒状抑制処理、覆い焼き処理（画像の中間階調を維持した、画像濃度ダイナミックレンジの圧縮もしくは伸長による、覆い焼き効果の付与）等の、画質的に画像を完成させる基本的な画像処理を、必須の画像処理（後述する画像処理３）として全ての画像に行う。
また、画像的な欠陥を補正するために必要に応じて行う高品位な画像処理として、赤目補正（ストロボ撮影に起因する赤目の補正）、傷消し処理（フィルムや撮影レンズの傷や、これらに付着したゴミ等による欠損画素（画像欠損部）の補正）、周辺減光補正（撮影レンズの周辺減光による濃度ムラの補正）、収差補正（撮影レンズの収差による歪みの補正）を実施する。
また、顧客（プリント作成の依頼者）から依頼が有った場合には、後述する画像処理５として、トリミング、ソフトフォーカス処理、クロスフィルタ処理等の顧客の依頼に応じた特殊仕上げ処理を行う。
これらの画像処理は、全て、公知の方法で実施すればよい。また、シャープネス処理と粒状抑制処理は、同時（粒状抑制シャープネス処理）に行ってもよい。
【００４０】
一例として、赤目補正は、まず画像から、赤目候補（赤目である可能性のある領域）を検出し、赤目候補周辺の所定領域で顔検出を行い、周辺で顔が検出できた赤目候補を赤目と特定して、赤目領域の色や彩度等を補正して、赤目を補正する方法が例示される。この方法によれば、先に顔検出を行って顔の中で赤目を検出する通常の赤目補正方法に比して、時間のかかる顔検出の回数を大幅に低減して、迅速な赤目補正を行うことができる。なお、赤目候補検出は、赤目の色情報および形状情報を用いて、赤色の色相でかつ所定画素数以上の円形領域を赤目候補として検出すればよい。また、顔検出は、多数の顔の画像サンプルから予め作成した顔テンプレートを用いるテンプレートマッチングによる方法、多数の顔画像と非顔画像の特徴量抽出を行って、その結果から顔か非顔かを分離する関数や閾値を算出する事前学習を行い、対象画像に対して、事前学習と同様にして特徴量の抽出を行って、事前学習で得られた関数や閾値を用いて顔か非顔かを判別して、顔検出を行う、学習手法による顔検出方法等の公知の方法を用いればよい。
【００４１】
傷消し処理は、特開２０００−７４８４６号公報に開示される、エッジ検出によって条件を満たす線分を検出して、この線分を用いて、ゴミや傷に起因する欠損部を検出し、周辺画素との連続性や周辺領域の画像データを用いた補完等によって、欠損部を修正する方法や、特開２０００−９２３１９号公報に開示される、スムージング画像と原画像との差分の大きさから、ゴミや傷に起因する欠損候補領域を検出し、形状や色の変化などの候補領域の特徴から欠損部を検出し、先と同様に欠損部を修正する方法等で行えばよい。
また、フィルムからプリントを作成する際には、通常のＲ（赤）、Ｇ（緑）、およびＢ（青）の画像読取に加え、ＩＲ光（赤外光）での読み取りを行い、フィルムのゴミや傷に起因するＩＲ光の遮光や散乱を利用して、ＩＲ光の読取結果を用いてフィルム上におけるゴミや傷の位置を検出し、先と同様に欠損部を修正する方法も好適に利用可能である。
【００４２】
さらに、レンズ収差補正および周辺減光補正（以下、レンズ補正とする）は、例えば、特開平１１−２２５２７０号公報に開示される、予めカメラのレンズ特性を知見して記憶しておき、画像を撮影したカメラ機種（レンズ種）を知見して、対応するレンズ特性を用いてレンズ収差補正および／または周辺減光補正を行う方法で行えばよい。
なお、カメラ機種は、例えば、ＡＰＳフィルムからのプリント作成であれば、スキャナでの読取時に磁気情報も読み取って、この情報を解析することにより、他方、画像データからのプリント作成であれば、画像ファイルに記録されている各種の情報を解析することにより、検出すればよい。
【００４３】
図示例のプリンタ１０において、画像処理は、図３に模式的に示すように、傷消し処理（画像処理１）、レンズ補正（画像処理２）、前記基本的な画像処理（画像処理３）、赤目補正（画像処理４）、および、顧客に依頼された特殊処理（画像処理５）の順番で、画像処理を実施する。
ここで、図示例においては、一例として、傷消し処理はフィルムからのプリント作成のみを対象として実施する。レンズ補正はカメラ機種を特定でき、かつ、レンズ特性を保有している機種によって撮影された画像のみに対して実施する。基本的な処理である画像処理３は、前述のように全ての画像に対して実施する。赤目補正は、撮影情報等からストロボ撮影ではないことが確定出来た画像以外の全画像に実施する。さらに、特殊処理は、顧客から依頼があった画像のみに実施する。
【００４４】
なお、本発明は、これに限定はされず、基本的な処理である画像処理３以外は、各画像処理毎に、実施の有無を選択／設定できるようにしてもよい。あるいは、画像処理３のなかでも、より優れた画質を得るために実施するシャープネス処理および／または覆い焼き処理は、実施の有無を選択／設定できるようにしてもよい。
あるいは、通常のプリント作成に対応する通常モードや、通常よりも高価であるが、より高品質なプリント（プレミアムプリント）を作成するプレミアムモードのように、モードを設定して、それぞれのモードで、実施する画像処理を選択／設定しておいてもよい。例えば、プレミアムモードでは全ての画像処理を実施し、通常モードでは画像処理３のみを実施するように設定し、フィルムセット時や画像データの取り込み時、検定の際にモードを選択して設定できるようにしてもよい。また、プレミアム１、プレミアム２、……のように、複数のプレミアムモードを用意しておき、例えば、プレミアム１はレンズ付きフィルム、安価なカメラ、携帯電話等で撮影した画像からのプリント作成に対応して、全ての画像処理を行い、プレミアム２は、通常のカメラでフィルムに撮影された画像からのプリント作成に対応して、傷消し、画像処理３および赤目補正のみを実施し、さらに、プレミアム３は、通常のデジタルカメラで撮影された画像からのプリント作成に対応して、画像処理３および赤目補正のみを実施するようにして、さらに、それぞれで異なる料金設定をしてもよい。
【００４５】
但し、顧客の依頼に応じた特殊処理である画像処理５に関しては、このような処理の実施の選択や設定は無関係で、顧客の依頼のみに応じて実施／非実施を設定するのは言うまでも無い。
【００４６】
画像処理装置１８およびＤＩＣ２０において、実施した各画像処理の情報は、裏印字情報編集出力手段５０に供給される。
一例として、傷消し処理（画像処理１）の情報としては、処理の実施の有無および補正個数の情報が、レンズ補正（画像処理２）の情報としては、収差補正および／または周辺減光補正の実施の有無の情報が、画像処理３の情報としては、シャープネス処理および覆い焼き処理の実施の有無の情報が、赤目補正（画像処理４）の情報としては、処理の実施の有無および補正個数の情報が、画像処理５の情報としては、実施した画像処理の情報が、それぞれ、裏印字情報編集出力手段５０に供給される。
【００４７】
なお、裏印字情報編集出力手段５０に供給する画像処理の情報（すなわち、裏印字の記録内容）は、これに限定はされず、各種の情報が利用可能である。また、画像処理の情報は、以下に示すように、各画像処理に応じたものであるのが好ましく、すなわち、画像処理に応じて異なるのが好ましい。
基本的に、裏印字が可能であれば、画像処理の情報（裏印字の記録内容）は多い方が好ましい。また、どのような情報を裏印字で記録するかを、選択できるようにしてもよい。
【００４８】
一例として、傷消し処理の情報としては、実施の有無および補正個数に加え、欠損部の検出個数、欠損部および／または修正部の位置（座標）、修正程度（強度）等の情報が例示される。
レンズ補正は、各画像処理の実施の有無に加え、収差補正の情報としては収差補正強度の情報等が、周辺減光補正の情報としては周辺減光補正強度の情報等が例示される。
シャープネス処理および覆い焼き処理は、各画像処理の実施の有無に加え、シャープネス処理ではシャープネス強度の情報等が、覆い焼き処理では覆い焼き強度の情報等が例示される。なお、加えて、画像処理３に関する情報として、粒状抑制処理に関する情報として、粒状抑制度合い（強度）の情報も加えるのが好ましい。
赤目補正は、実施の有無および補正個数に加え、赤目の検出個数、赤目および／または補正部の位置（座標）、赤目の修正程度（強度）の情報等が例示される。
【００４９】
トリミングを実施した場合には、実施の有無の情報に加え、トリミング位置、センタートリミングかフリートリミングか等の情報が例示される。
また、ソフトフォーカス処理を実施した場合には、実施の有無の情報に加え、処理の強度設定等の情報が例示される。
さらに、クロスフィルタ処理を行った場合には、実施の有無の情報に加え、クロスフィルタの個数、クロスフィルタの位置（座標）、クロスフィルタの明るさ等の情報が例示される。
【００５０】
画像処理を施されたプリント画像（プリント出力用の画像データ）は、入力機１２から出力機１４に供給される。
ここで、各プリント画像には、裏印字情報編集出力手段５０による裏印字情報が対応付けされて、プリント画像と裏印字情報とが出力機１４の制御系２４に出力される。
【００５１】
前述のように、裏印字情報編集出力手段５０には、検定の際における画像の色／濃度の調整の情報と、画像処理の情報とが供給される。
裏印字情報編集出力手段５０は、検定における色／濃度調整の情報、画像のコマ番号の情報等の情報を用いて、写真プリントにおいて規格として設定されている裏印字の情報を第１裏印字情報（裏印１）として生成する。
さらに、裏印字情報編集出力手段５０は、画像処理の情報を用いて、画像処理の実施状態を示す裏印字の情報を第２裏印字情報（裏印２）として生成する。
【００５２】
前述のように、図示例においては、画像処理の情報として、レンズ補正、シャープネス処理および覆い焼き処理、ならびに特殊処理に関しては、実施の有無の情報が供給されるので、それぞれに対応して、実施した画像処理については実施した旨の第２裏印字情報を生成し、実施しなかった画像処理については第２裏印字情報を生成しない。あるいは、実施しなかった画像処理については、非実施を示す第２裏印字情報を生成してもよい。
【００５３】
他方、赤目補正および傷消し処理については、実施の有無に加え、処理箇所の情報も供給されるので、図４（Ａ）の赤目補正および図４（Ｂ）の傷消し処理のフローチャートに示すように、まず、処理（赤目補正および傷消し処理）の実施の有無を判定して、処理無しの場合（Ｎ）には、赤目補正および傷消し処理の第２裏印字情報を生成しない。あるいは、同様に、非実施を示す第２裏印字情報を生成してもよい。
処理を実施した場合（Ｙ）には、処理箇所をカウントして結果をまとめ、実施した旨の情報および処理個数の情報を第２裏印字情報として出力する。なお、赤目補正および傷消し処理共に、画像を解析した結果、１つも赤目や欠陥部が検出されなかった場合には、処理は実施して処理個数は「０」を示す第２裏印字情報を生成する。
【００５４】
次いで、裏印字情報編集出力手段５０は、第１裏印字情報および第２裏印字情報を編集して、裏印字を記録するための情報（以下、裏印字記録情報とする）として、対応するプリント画像に対応付けして、出力機１４の制御系２４に出力する。
編集処理では、図５に示すように、まず、第１裏印字情報を取得して、次いで、第２裏印字情報の有無を確認して、第２裏印字情報が無い場合（Ｎ）には、第１裏印字情報のみを編集して、写真プリントの規格に準じた裏印字を行うように裏印字記録情報を生成して、出力機１４に出力する。
第２裏印字情報が有る場合（Ｙ）には、第２裏印字情報を取得して、第１裏印字情報と第２裏印字情報を編集し、第１裏印字情報は写真プリントの規格に準じた裏印字を、第２裏印字情報は、実施した画像処理に応じた所定の裏印字を行うように、裏印字記録情報を生成して、出力機１４に出力する。
【００５５】
なお、第２裏印字情報に応じた裏印字には、特に限定はなく、各画像処理を実施した旨、あるいはさらに処理個数が分かるような形式を、適宜、決定すればよい。
一例として、傷消し処理を実施した場合には「scratch[○] num[x]」（ｘには補正個数）、周辺減光補正を実施した場合には「limb darken[○]」、収差補正を実施した場合には「distortion[○]」、シャープネスを実施した場合には「sharp[○]」、覆い焼きを実施した場合には「tone[○]」、赤目処理を実施した場合には「redeye[○] num[x]」との裏印字を、１列もしくは２列にまたがってするようにすればよい。
なお、図示例では、実施しなかった画像処理については、第２裏印字情報を生成しないので、対応する裏印字を行わない。もしくは、実施しなかった場合には、画像処理を示す印字の後に［×］を入れるようにしてもよい。
【００５６】
なお、出力機１４の裏印字手段３４の能力的に可能であれば、日本語表記で第２裏印字情報による裏印字を行うようにしてもよい。また、第１裏印字情報に応じた裏印字は、従来の写真プリンタと同様に、専門家のみにしか分からない記号化もしくは暗号化したものであってもよいが、第２裏印字情報に応じた裏印字は、プリント作成を依頼した顧客にも内容が分かるようにするのが好ましい。必要に応じて、裏印字として、第２裏印字情報に応じた裏印字の説明を加えてもよい。あるいは、設定によって、第２裏印字情報に応じた裏印字のみを行えるようにしてもよい。
【００５７】
裏印字は、図示例のような文字（１byte、２byte）でもよく、あるいは、適宜、設定したマーク（記号）であってもよい。さらに、モノクロでもカラーでもよい。
また、第１裏印字情報と第２裏印字情報とで、裏印字の色、サイズ、フォント等を変更してもよく、さらに、裏印字を２行で行う場合には、一方の行を第１裏印字情報に応じた裏印字、他方の行を第２裏印字情報に応じた裏印字としてもよい。
さらに、デジタルカメラ等で撮影された画像の場合には、画像ファイルから得られる撮影情報やファイル名等も裏印字してもよい。この際には、例えば、第１裏印字情報に対応する画像調整の情報と共に記録すればよい。
【００５８】
前述のように、プリント画像と、このプリント画像に対応する第１および第２の裏印字情報による裏印字記録情報とは、対応付けられて出力機１４に出力される。
また、入力機１２は、出力機１４への出力に加えて、プリント画像および第２裏印字情報による裏印字の情報を、記憶媒体に記録し、および／または、通信ネットワーク等によって外部の装置に出力してもよい。
【００５９】
前述のように、入力機１２での検定ＯＫによって画像が確定すると、各コマの画像のプリントサイズおよびプリント枚数の情報が、出力機１４の制御系２４へ送られる。出力機１４は、制御系２４の制御によって、最初の１コマのプリントサイズおよびプリント枚数を取得した時点で、感光材料Ａをマガジン３０から引き出して、カッタ３２によってプリントサイズに応じて切断して供給し、その後、出力機１４内における処理の進行状況、および、供給されたプリントサイズおよびプリント枚数の情報に応じて、順に、感光材料Ａの供給を続ける。
【００６０】
次いで、感光材料Ａを前記所定の露光位置に向かう所定の搬送経路で搬送しつつ、裏印字手段３４によって、この感光材料Ａに再生するプリント画像に対応する裏印字記録情報に応じて、裏印字（バックプリント）を記録する。この裏印字は、第１裏印字情報による写真プリントの規格に対応する印字のみならず、前記第２裏印字情報に応じた、プリント画像に施された画像処理に関する印字も含むものである。ここで、制御系２４が、供給された感光材料Ａに記録すべき裏印字記録情報をまだ取得していないときは、感光材料Ａを、裏印字手段３４の手前で待機させておき、裏印字記録情報を取得し次第、感光材料Ａを印字手段３４の位置へ搬送して、裏印字を行う。
【００６１】
さらに、裏印字を行った感光材料Ａを、露光ユニット３６の露光位置において副走査方向に搬送しつつ、プリント画像（記録した裏印字に対応する画像）に応じて変調され、主走査方向に偏向された光ビームＬによって二次元的に走査露光して、潜像を記録する。ここで、制御系２４が、供給された感光材料Ａに記録すべき画像の画像データをまだ取得していないときは、感光材料Ａを、露光ユニット３６の手前で待機させておき、画像データを取得し次第、感光材料Ａを露光位置へ搬送して、潜像の記録を行う。
【００６２】
潜像が記録された感光材料Ａは、現像部４０に供給されて、現像、漂白／定着、水洗の各処理が順次行われることによって現像処理が施され、現像済の感光材料が乾燥処理されて、仕上がり（写真）プリントとして出力され、１件毎に仕分けされる。
【００６３】
以上の説明より明らかなように、本発明によれば、高品位処理が行われた画像の画像データ、および、裏印字として記録するための裏印字記録情報が、出力機に送られるのを待たずに、プリント用紙を供給するのに必要な情報が送られた時点で、プリント用紙の供給を開始するので、高品位処理を実施することにより、画像データの作成に時間が掛かる場合でも、ファーストプリント時間を短縮することができる。
その上、本発明によれば、プリントの出力において、赤目補正、ゴミ傷消し、レンズ収差補正、周辺減光補正等の高品位処理を行った際に、それらの情報を裏印字として記録するので、手間と時間のかかる高品位処理の実施、および、その効果を、プリント作成等を依頼された顧客に確実に訴求し、かつ、認識してもらうことができる。したがって、本発明によれば、プリント等の高付加価値化、高品位処理を行わない画像との差別化、ラボ店等における他店舗との差別化や他店舗に対する価格維持、顧客の獲得および確保などを図ることができる。また、赤目を直して欲しい等のクレームに応じて再プリントを行う場合にも、ラボ店のオペレータなどが、裏印字によって、先のプリント出力時に行った画像処理を知見できるので、再プリントの際には、適正に画像処理を行って問題を解決し、クレームに応じたプリントの出力を確実に行うことができる。
すなわち、本発明によれば、高品位処理による高画質画像の出力と、ファーストプリント時間の短縮、という相反する効果を実現した上で、高品位処理の効果も顧客に訴求できる。
【００６４】
また、本発明によれば、高品位処理を施さない場合や、高品位処理を施したことおよびその結果を裏印字しない場合にも、従来よりもファーストプリント時間を短縮できることは言うまでもない。
【００６５】
次に、本発明の第２実施形態について説明する。本実施形態のプリンタの基本的な装置構成は、図１のプリンタ１０と同様であるので、同じ部材には同じ符号を付し、以下の説明は異なる部分について主に行う。また、本実施形態の特徴部分を、図６および図７を参照して説明する。
【００６６】
図６は、本発明の第２実施形態であるプリンタ６０の作用を説明するための図である。プリンタ６０において、画像処理部１８およびＤＩＣ２０（図１参照）は、画像処理手段および表示・検定手段に加え、画像処理に先立って、画像（画像データ）や、撮影情報や、カメラ情報などの撮影画像に関する情報や、指示入力器２２から入力された画像処理の指定の情報から、施すべき画像処理を選定（選択・決定）する選定手段として、前処理手段を有している。
また、第１実施形態のプリンタ１０（図２参照）では、裏印字情報編集出力手段５０が、画像処理の情報を用いて、第２裏印字情報（裏印２）として画像処理の実施状態を示す裏印字の情報を生成していたのに対し、図６に示すプリンタ６０では、裏印字情報編集出力手段６６が、スキャナ１６、ＤＩＣ２０および指示入力器２２からの情報を用いて、第２裏印字情報（裏印２）として、ある画像処理を実施した旨の情報を生成する。
以下、図６を参照して、プリンタ６０の作用のうち、主に、裏印字情報の生成方法および裏印字の記録について説明する。
【００６７】
プリント注文の受付時、スキャナ１６へのフィルムセット時、ＤＩＣ２０による画像データ取り込み時、または後述する検定時などに、プリントコマ番号、プリントサイズ、プリント枚数、画像処理の指定等のプリント注文に関する情報（プリント情報）が、指示入力器２２に入力される。入力された情報は、裏印字情報編集出力手段６６や画像処理手段等の、その情報を使用する部位に送られる。
【００６８】
フィルムからのプリント作成を行う場合には、上述の第１実施形態と同様にして、スキャナ１６によってフィルムのプレスキャンを行う。また、ＡＰＳのフィルムの場合には、プレスキャンの際に、磁気記録部を読み取り、フィルムＩＤ、撮影時のストロボ使用の有無やズーム倍率などの撮影情報、カメラ機種（レンズ付きフィルム種）やレンズ種などのカメラ情報等、磁気記録部に記録された情報を取得する。磁気記録部の読み取り情報は、裏印字情報編集出力手段６６や画像処理手段、前処理手段等、その情報を使用する部位に送られる。撮影情報やカメラ情報は、オペレータの操作により指示入力器２２に入力されてもよい。
【００６９】
デジタルカメラ等で撮影された画像の画像データからのプリント作成を行う場合には、上述の第１実施形態と同様にして、ＤＩＣ２０によって、画像データを取り込み、検定画像を生成する。また、画像データ（画像ファイル）から得られた、コマ番号（ファイルＮｏあるいはさらにフォルダＮｏ）、カメラ機種などのカメラ情報、撮影時のストロボ使用の有無やズーム倍率などの撮影情報等の各種の情報を、裏印字情報編集出力手段５０や画像処理手段等の、その情報を使用する部位に送る。
【００７０】
次いで、画像処理装置１８またはＤＩＣ２０によって、検定画像を表示手段（ディスプレイ）の検定画面に表示し、その検定画像に対してオペレータによる検定が行われる。なお、検定は、必須の操作ではなく、また、操作モードとして、検定を行う通常モードと、検定を行わない自動モードとを設定して、何れかを選択できるようにしてもよいのは、上述の第１実施形態のプリンタ１０の例と同様である。
検定によって画像の色や濃度などが調整された場合には、それに応じて後述する画像処理の色／濃度補正条件なども調整される。また、調整された各色（通常、Ｃ（シアン）、Ｍ（マゼンタ）、およびＹ（イエロー））毎の調整量、ならびに、濃度の調整量の情報は、裏印字情報編集出力手段６６に送られる。
【００７１】
画像処理装置１８またはＤＩＣ２０の前処理手段は、スキャナ１６、ＤＩＣ２０、または、指示入力器２２から得られた、画像（画像データ）や、撮影情報や、カメラ情報などの撮影画像に関する情報、ならびに、指示入力器２２から入力された画像処理の指定の情報等を基に、その画像に施すべき画像処理を選定する。選定された画像処理を示す情報は、画像処理手段へ送られるとともに、裏印字情報編集出力手段６６へ送られる。裏印字情報編集出力手段６６は、この情報から、第２裏印字情報（裏印２）を生成する。
【００７２】
図７（Ａ）〜（Ｃ）は、前処理手段および裏印字情報編集出力手段６６における、第２裏印字情報の生成方法を示すフローチャートであり、それぞれ、前処理工程において、（Ａ）収差補正処理、（Ｂ）赤目補正処理、（Ｃ）傷消し処理、の選択を判断する場合を示している。
【００７３】
収差補正処理については、図７（Ａ）に示すように、上述のようにして取り込まれた光学情報や撮影情報等から得られたズームの情報、カメラ機種やレンズ種の情報（カメラ情報）を基に、画像データが補正対象画像データであるか否かを判定する。補正対象画像である場合（Ｙ）、例えば、カメラ機種の情報やレンズ種の情報から、レンズ付きフィルムまたはコンパクトカメラによって撮影されたことが判明している画像や、ズームを掛けて撮影されたことが判明している画像である場合には、「裏印２情報あり」と判断して、レンズ収差補正および周辺減光補正を選択するとともに、レンズ収差補正および周辺減光補正を実施する旨を、第２裏印字情報とする。一方、補正対象画像でない場合（Ｎ）、例えば、撮影情報から、一眼レフカメラや中でも特定の高性能レンズを搭載したカメラによって撮影された画像であることが判明している画像に対しては、レンズ収差補正および周辺減光補正を選択せず、「第２裏印字情報なし」とする。
【００７４】
赤目補正処理については、図７（Ｂ）に示すように、撮影情報から、ストロボ撮影された画像であるか否かを判定する。撮影時にストロボが使用された画像の場合（Ｙ）は、「裏印２情報あり」と判断して、赤目補正処理を選択するとともに、赤目補正処理を実施する旨を第２裏印字情報とし、ストロボが使用されていない画像の場合（Ｎ）は、赤目補正処理を選択せず、「第２裏印字情報なし」とする。
【００７５】
傷消し処理については、図７（Ｃ）に示すように、画像データの情報、すなわち画像データの取得源がフィルムであるか、ＤＩＣ２０からのデジタル画像データであるかの情報から、傷消し処理の対象画像データであるか否かを判定する。画像データの取得源がフィルムである場合には、処理対象画像データである（Ｙ）と判断し、「裏印２情報あり」として、傷消し処理を選択するとともに、傷消し処理を実施する旨を第２裏印字情報とする。画像取得源がＤＩＣ２０からのデジタル画像データである場合には、処理対象画像データでない（Ｎ）と判断し、傷消し処理を選択せず、「第２裏印字情報なし」とする。
【００７６】
また、ソフトフォーカス処理やクロスフィルタ処理等の特殊仕上げ処理の指定が入力されている場合には、該当する処理を選択する。その他、シャープネス処理等についても、顧客の要望に応じて選択する構成としてもよい。
さらに、検定の際に、オペレータが検定画像を観察することにより、撮影時にストロボが使用されたことや、画像欠損があることが判定された場合には、オペレータの指示入力に応じて、それらの欠陥を補正する画像処理を選択してもよい。
前処理手段が、プレスキャンデータを解析することにより、画像欠損が検出された場合には、それを補正するための画像処理を選択する構成とするのも好ましい。
【００７７】
前処理手段は、このようにして選択された画像処理の全部を、その画像に施すべき画像処理として決定し、決定された処理（その種類）を示す情報を、画像処理手段および裏印字情報編集出力手段６６へ送る。あるいは、前処理手段によって自動的に選択した画像処理の中から、オペレータによって指示されたもののみを、実施する画像処理として決定する構成としてもよい。検定を行わない場合には、前処理手段が選択した画像処理の全部を、決定された画像処理として、画像処理手段で実施するようにすればよい。裏印字情報編集出力手段６６は、選定された各処理が実施される旨を、第２裏印字情報として生成する。
【００７８】
裏印字情報編集出力手段６６は、プリンタ１０における裏印字記録情報の生成方法と同様に、図５に示すようにして、第１裏印字情報および第２裏印字情報を編集し、裏印字記録情報を生成して、出力機６４に出力する。
【００７９】
検定ＯＫが入力され、画像が確定すると、入力機６２は、先の例と同様に、フィルムの場合はファインスキャンを行って、得られた画像データに対して画像処理を行い、デジタルカメラ等による撮影画像データの場合は、取得した画像データに対して画像処理を行う。このようにして、プリント画像データの作成処理を開始するとともに、各コマの画像のプリントサイズおよびプリント枚数の情報を、出力機６４へ出力する。これに応じて、出力機６４は感光材料Ａを切り出す。
【００８０】
出力機６４は、制御系２４の制御によって、最初の１コマのプリントサイズおよび枚数を取得した時点で、先の例と同様に、感光材料Ａの供給を開始し、続いて、取得した裏印字記録情報に応じて、感光材料Ａに裏印字を記録する。裏印字は、第１裏印字情報による従来の規格に準ずるものに加え、第２裏印字情報によるそのプリント画像に施された画像処理を表わすものである。この第２裏印字情報に対応する裏印字は、そのプリント画像に施された画像処理が分かるようなものであればよく、印字の形態は特に制限されない。例えば、上記第１実施形態における裏印字と同様の各種の形態を用いることができる。
【００８１】
本実施形態のプリンタ６０では、画像処理工程に先立つ前処理工程において、赤目補正処理、収差補正処理、傷消し処理等の高品位処理を実施するか否かが選定され、実施または不実施の情報が第２裏印字情報として生成されるので、第２裏印字情報を生成するのに要する処理量および処理時間が少なくて済む。そのため、上記第１実施形態のように、第２裏印字情報に、高品位画像処理の結果をも含める場合に比べて、プリント処理能力の低下をさらに抑えることができる。
【００８２】
また、プリンタ６０において、前処理工程で、各種高品位処理の実施または不実施の選定の結果、１以上の高品位処理を実施することが選定された場合は、上記第１実施形態と同様の方法で、画像処理結果の情報を含めて第２裏印字情報を生成し、高品位処理が１つも選択されなかった場合は、上記第２実施形態の要領で、第２裏印字情報なしとして、裏印字記録情報の編集に進むようにしてもよい。このように、前処理によって、高品位処理が施される画像を判別し、該当する画像にのみ、画像処理結果を含んだ第２裏印字情報を生成するように構成することにより、プリント処理能力の低下を最小限に留めながら、赤目補正、収差補正、傷消しなどの高品位処理の結果を、裏印字に反映させることができる。
【００８３】
次に、本発明の第３実施形態について説明する。図８は、本発明の第３実施形態であるプリンタ７０の作用を説明するための図である。プリンタ７０が図１および図２のプリンタ１０と異なる点は、出力機７４において、感光材料Ａの走査露光による画像形成の後に、裏印字が行われる点であり、その他の各構成とその作用は、図１および図２のプリンタ１０と同様である。プリンタ７０においては、裏印字手段が、画像形成手段（走査露光ユニット）よりも、感光材料Ａの搬送方向の下流側に配置される。
プリンタ７０は、入力機７２による画像処理を終えるとプリント画像データを出力機７４へ出力し、出力機７４において走査露光位置に供給されている感光材料Ａを露光する。その間に、裏印字情報編集出力手段７６によって、画像処理結果を含む第２裏印字情報を用いて裏印字記録情報を生成して出力機７４へ出力し、出力機７４において、露光された感光材料Ａの裏面に裏印字を記録する。
【００８４】
このように、プリント画像データが供給されるとすぐに感光材料Ａの露光を行い、続いて、裏印字記録情報による裏印字の記録を行うよう構成とすることで、画像処理の結果を待ってから第２裏印字情報を生成する場合にも、出力機の待ち時間の発生を回避または最小限とし、ファーストプリント時間の一層の短縮を図ることができる。
また、図６のプリンタ６０においても、プリンタ７０のように、裏印字手段が、画像形成手段（走査露光ユニット）よりも、感光材料Ａの搬送方向の下流側に配置された構成とし、感光材料Ａの走査露光による画像形成の後に、裏印字を行うようにしてもよい。
【００８５】
上記の各実施形態では、プリントの裏面に、画像処理に関する情報を裏印字する構成としたが、これ以外にも、例えば、１件のプリント注文に対する複数のプリントの最後に、情報記録紙としてのフロントプリントまたはインデックスプリントを出力し、フロントプリントまたはインデックスプリントに、第２裏印字情報に基づいて、１件分のプリントの各画像に実施した画像処理に関する情報を表現するようにしてもよい。この場合、各プリントの裏印字は、第１裏印字情報に基づく従来と同様のものとすればよい。
このように、フロントプリントまたはインデックスプリントに第２裏印字情報を表現する場合には、１件分のプリントを作成する間に、第２裏印字情報から記録用データを生成すればよいので、裏印字のための出力機の待ち時間が発生することがなく、プリント処理能力を維持しながら、赤目補正、収差補正、傷消しなどの高品位処理結果を裏印字に反映させることができる。
【００８６】
上記各実施形態に示す例では、プリンタ１０（６０、７０）は出力機１４（６４、７４）を１台のみ有するものであるが、本発明は、これに限定されず、１台の入力機１２（６２、７２）に、複数台の出力機１４（６４、７４）が接続されてもよい。
この際には、例えば図５のフローチャートにおいて、オペレータの指示入力等によって、第１裏印字情報（裏印１）と共に画像の属性情報（例えば面種等）を取得し、出力時に、対応するプリント画像に対応付けして、属性情報に応じて選択した出力機１４に裏印字記録情報を出力すればよい。なお、この際において、プリント画像の出力機１４への出力は、複数台の出力機１４を有するプリントシステムと同様にすればよい。
【００８７】
以上、本発明のプリンタについて詳細に説明したが、本発明は上記種々の実施例に限定されず、本発明の要旨を逸脱しない範囲において、各種の改良や変更を行ってもよいのは、もちろんである。
例えば、以上の例は、本発明をデジタルの写真プリンタに利用した例であるが、本発明は、これに限定はされず、電子写真で画像を再生するプリンタ、インクジェットによって画像を再生するプリンタ、印刷装置、感光記録媒体を用いるプリンタ、感熱記録媒体を用いるプリンタ、感光感熱記録媒体を用いるプリンタ等、各種のプリンタに利用可能であり、これらでプリント（ハードコピー）を作成する記録媒体の裏面に、前述のような第１の裏印字情報および第２の裏印字情報に応じた裏印字を行ってもよい。
【図面の簡単な説明】
【００８８】
【図１】本発明の一実施形態の概略構成を示す概念図である。
【図２】本発明の第１実施形態のプリンタ１０におけるプリント作成処理の流れを説明するための概念図である。
【図３】プリンタ１０における画像処理の内容を説明するための概念図である。
【図４】（Ａ）および（Ｂ）は、図１のプリンタ１０の作用を説明するためのフローチャートである。
【図５】プリンタ１０における裏印字記録情報の編集処理を示すフローチャートである。
【図６】本発明の第２実施形態のプリンタ６０におけるプリント作成処理の流れを説明するための概念図である。
【図７】（Ａ）〜（Ｃ）は、プリンタ６０における第２裏印字情報の生成方法を示すフローチャートである。
【図８】本発明の第３実施形態のプリンタ７０におけるプリント作成処理の流れを説明するための概念図である。
【図９】従来のデジタルフォトプリンタにおけるプリント作成処理の流れを説明する図である。
【符号の説明】
【００８９】
１０、６０、７０、１００  プリンタ
１２、６２、７２、１０２  入力機
１４、６４、７４、１０４  出力機
１６  スキャナ
１８  画像処理装置
２０  ＤＩＣ
２４  制御系
３０  マガジン
３２  裏印字手段
３６  露光ユニット
４０  現像部
５０、６６、７６  裏印字情報編集出力手段
【図１】
2006171085.tif 000003
【図２】
2006171085.tif 000004
【図３】
2006171085.tif 000005
【図４】
2006171085.tif 000006
【図５】
2006171085.tif 000007
【図６】
2006171085.tif 000008
【図７】
2006171085.tif 000009
【図８】
2006171085.tif 000010
【図９】
2006171085.tif 000011